(57)【要約】【課題】ドレンパンを取り外す際の労力を削減することができる空調機用室内機を提供することを課題とする。【解決手段】本発明は、空調室の天井に据え付けられる空調機用室内機１０であって、固定体に吊下げ支持されるケーシング１１と、熱交換器１３から滴下するドレンをその下側で受けるドレンパン３０と、吸入口２１及び吹き出し口２２を有する化粧パネル２０と、ドレンパン３０をケーシング１１及び化粧パネル２０に接続可能な接続手段５０と、を備え、接続手段５０は、ドレンパン３０を化粧パネル２０に接続することなくケーシング１１に接続する第１状態と、ドレンパン３０をケーシング１１に接続することなく化粧パネル２０に接続する第２状態との少なくとも二つの状態を取り得ることを特徴とする。【選択図】図５
2009036394.tif 000002
【特許請求の範囲】
【請求項１】
空調室の天井に据え付けられる空調機用室内機であって、固定体に吊下げ支持されるケーシングと、熱交換器から滴下するドレンをその下側で受けるドレンパンと、吸入口及び吹き出し口を有する化粧パネルと、前記ドレンパンを前記ケーシング及び化粧パネルに接続可能な接続手段と、を備え、
前記接続手段は、前記ドレンパンを前記化粧パネルに接続することなく前記ケーシングに接続する第１状態と、前記ドレンパンを前記ケーシングに接続することなく前記化粧パネルに接続する第２状態との少なくとも二つの状態を取り得ることを特徴とする空調機用室内機。
【請求項２】
前記接続手段は、接続部材を有し、前記ドレンパンとケーシングとの接続及び前記ドレンパンと化粧パネルとの接続を共通の前記接続部材を用いて行うことで、前記第１状態及び前記第２状態の二つの状態を取り得ることを特徴とする請求項１に記載の空調機用室内機。
【請求項３】
前記接続手段は、前記ケーシングに設けられ、第１孔が穿設されたケーシング接続部と、前記化粧パネルに設けられ、第２孔が穿設されたパネル接続部と、前記ドレンパンに設けられ、前記第１及び第２孔にそれぞれ対応した位置に第３及び第４孔が穿設されたドレンパン接続部と、前記第１及び第３孔に挿通、又は第２及び第４孔に挿通可能な前記接続部材と、で構成されることを特徴とする請求項２に記載の空調機用室内機。
【請求項４】
前記ドレンパン接続部は、前記ドレンパンに固定されていることを特徴とする請求項３に記載の空調機用室内機。
【請求項５】
前記接続部材は、ネジで構成されることを特徴とする請求項３又は４に記載の空調機用室内機。
【請求項６】
前記第１及び第４孔は、前記ネジが螺合可能なネジ孔で構成され、前記第２及び第３孔は、前記ネジのネジ部が挿通可能な貫通孔で構成されることを特徴とする請求項３乃至５のいずれか１項に記載の空調機用室内機。
【請求項７】
前記接続手段は、前記ドレンパンに前記ケーシング及び化粧パネルの両方を接続した第３状態から前記化粧パネル又はケーシングを開放することで前記第１状態又は第２状態に状態変更することを特徴とする請求項１に記載の空調機用室内機。
【請求項８】
前記接続手段は、前記ドレンパンとケーシングとを接続するパチン錠と、前記ドレンパン又は化粧パネルの一方に設けられる第１係止環、及び前記ドレンパン又は化粧パネルの他方に設けられ、前記第１係止環に係脱可能に係合する第１係止フックと、で構成されることを特徴とする請求項７に記載の空調機用室内機。
【請求項９】
前記ドレンパンとケーシングとは、前記ケーシングに対し前記ドレンパンを仮止めする仮止め手段を備えることを特徴とする請求項１乃至８のいずれか１項に記載の空調機用室内機。
【請求項１０】
前記ドレンパンは、前記ケーシングの開口に嵌め込まれた際に当該開口を形成する開口縁内側面と対向する外周面を有し、
前記仮止め手段は、前記ドレンパンの外周面に形成されたドレンパン係合凸部又はドレンパン係合凹部と、前記ケーシングの開口縁内側面における前記ドレンパン係合凸部又はドレンパン係合凹部に対応する位置で且つ対応する形状に形成されたケーシング係合凹部又はケーシング係合凸部とで構成されることを特徴とする請求項９に記載の空調機用室内機。
【請求項１１】
前記仮止め手段は、前記ドレンパン又はケーシングの一方に設けられる第２係止環と、前記ドレンパン又はケーシングの他方に設けられ、前記第２係止環に係脱可能に係合する第２係止フックとで構成されることを特徴とする請求項９に記載の空調機用室内機。
【発明の詳細な説明】
【技術分野】
【０００１】
本発明は、空調室の天井に据え付け、空調室内に対して所望の空調を行う空調機用室内機に関する。
【背景技術】
【０００２】
従来から、天井埋込型又は天井吊下げ型のような空調室の天井に備え付ける空調機用室内機は、空調室の天井に埋め込まれるように固定体に吊下げ支持されるケーシングと、このケーシング内の下部に配置され、熱交換器から滴下するドレンをその下側で受けるドレンパンと、ケーシングの下端に配置され、吸入口及び吹き出し口を有する化粧パネルと、を備える構成が一般的である。
【０００３】
具体的には、図８に示すような埋込型の空調機用室内機１１０は、空調機用室内機本体（ケーシング）１１１と、その下端に配置され、下面中央部に吸入口が形成されると共にその周囲に吹出し口が形成された化粧パネル１２０とで構成されている。ケーシング１１１の内部には、空調室内の空気を吸排気するための送風機１１２、この送風機１１２によって吸気した空調室内の空気を冷却又は加温するための熱交換器１１３、この熱交換器１１３の下側に配置され、当該熱交換器１１３から滴下するドレンを受けるドレンパン１３０、このドレンパン１３０に貯留されたドレンをケーシング１１１の外部に排水するドレンポンプ１１４等の各種構成機器が配置されている。
【０００４】
このように構成される埋込型空調機用室内機１１０は、内部に収納された各種構成機器がケーシング１１１に対してネジ等の接続部材によって取り付けられている。また、化粧パネル１２０は、前記のような各種構成機器が内部に取り付けられた状態のケーシング１１１に対してネジ等の接続部材によって取り付けられている。
【特許文献１】特開平０７−１８１２８号公報
【発明の開示】
【発明が解決しようとする課題】
【０００５】
ところで、この空調機用室内機１１０は、運転時に熱交換器で発生したドレンをドレンパン１３０で受けて貯留する。このドレンパン１３０に貯留されるドレンは、空気中の水分が凝縮することで発生するものであるため、空気中の埃やカビ等が含まれている。空調機用室内機１１０の運転時には、通常、この貯留されたドレンはドレンポンプ１１４等でケーシング１１１の外部に排出（排水）される。しかし、ドレンポンプ１１４等によっては全てのドレンを排出することができない。そのため、空調機用室内機１１０を長期間使用しないと、残留したドレン（以下、単に「残留ドレン」とも称する。）の水分が蒸発して前記埃が析出したり、残留しているドレンにカビが繁殖又は腐敗等が発生する場合がある。このような場合に空調機用室内機１１０の運転を行うと、吹き出された風が埃やカビ臭い場合がある。このような埃やカビ臭い風が吹き出されるのを防ぐために、定期的に、又は長期間使用しないような場合には、空調機用室内機１１０からドレンパン１３０を取り外して洗浄する必要がある。
【０００６】
一方、一定期間使用した空調機用室内機１１０は、メンテナンスのためにケーシング１１１の下部に配置されたドレンパン１３０を取り外してケーシング１１１内部に収納されている各種構成機器を点検する必要がある。
【０００７】
上記洗浄や点検のためにドレンパン１３０を取り外す際には、上記構成の空調機用室内機１１０においては、まず、化粧パネル１２０をケーシング１１１から取り外し、その後、ドレンパン１３０をケーシング１１１から取り外さなければならない。即ち、ケーシング１１１に取り付けられている化粧パネル１２０とドレンパン１３０とをそれぞれ個別に取り外さなければならない。
【０００８】
しかも、当該空調機用室内機１１０が天井に据え付けられているため、通常、作業者は、前記取り外し作業を脚立等を用いて高所で行わなければならない。
【０００９】
そのため、このドレンパン１３０の取り外し作業は、作業者がまず脚立等に登って化粧パネル１２０の取り外し作業を行い、取り外した化粧パネル１２０を床等に置くために脚立を降りる。次いで、ドレンパン１３０の取り外し作業のために、作業者は、再度脚立等に登らなければならない。このように、作業者は、ドレンパン１３０を取り外すために脚立等の昇降を繰り返し行わなければならず、作業者にとって非常に煩雑な作業となる。
【００１０】
そこで、本発明は、上記問題点に鑑み、ドレンパンを取り外す際の労力を削減することができる空調機用室内機を提供することを課題とする。
【課題を解決するための手段】
【００１１】
そこで、上記課題を解消すべく、本発明に係る空調機用室内機は、空調室の天井に据え付けられる空調機用室内機であって、固定体に吊下げ支持されるケーシングと、熱交換器から滴下するドレンをその下側で受けるドレンパンと、吸入口及び吹き出し口を有する化粧パネルと、前記ドレンパンを前記ケーシング及び化粧パネルに接続可能な接続手段と、を備え、前記接続手段は、前記ドレンパンを前記化粧パネルに接続することなく前記ケーシングに接続する第１状態と、前記ドレンパンを前記ケーシングに接続することなく前記化粧パネルに接続する第２状態との少なくとも二つの状態を取り得ることを特徴とする。
【００１２】
かかる構成によれば、前記接続手段を前記第２状態とすることで、前記化粧パネルとドレンパンとを前記ケーシングから一度に取り外すことができる。そのため、前記化粧パネル及びドレンパンを取り外す作業において、一度の取り外し作業で作業を終えることができ、作業者の労力削減を図ることができる。
【００１３】
しかも、本発明においては、前記接続手段を前記第１状態とすることで、前記化粧パネルのみを前記ケーシングから取り外すことができる。そのため、目的に合わせて、前記化粧パネルのみ、又は前記化粧パネル及びドレンパンを一体として前記ケーシングから取り外すことができる。
【００１４】
本発明に係る空調機用室内機においては、前記接続手段は、接続部材を有し、前記ドレンパンとケーシングとの接続及び前記ドレンパンと化粧パネルとの接続を共通の前記接続部材を用いて行うことで、前記第１状態及び前記第２状態の二つの状態を取り得る構成であってもよい。
【００１５】
かかる構成によれば、前記共通の接続部材によって、前記ドレンパンとケーシングとを接続する前記第１状態と、前記ドレンパンと化粧パネルとを接続する前記第２状態との二つの状態を取り得ることができる。そのため、部品点数を減らすことができ、前記状態切換の作業の簡素化を図ることができる。また、部品点数の減少によって製造コストの削減を図ることができる。
【００１６】
また、前記接続手段は、前記ケーシングに設けられ、第１孔が穿設されたケーシング接続部と、前記化粧パネルに設けられ、第２孔が穿設されたパネル接続部と、前記ドレンパンに設けられ、前記第１及び第２孔にそれぞれ対応した位置に第３及び第４孔が穿設されたドレンパン接続部と、前記第１及び第３孔に挿通、又は第２及び第４孔に挿通可能な前記接続部材と、で構成されてもよい。
【００１７】
かかる構成によれば、前記接続部材が前記第１及び第３孔に挿通された状態から外され、前記第２及び第４孔に挿通されることで、前記第１状態から前記第２状態に状態切換が行われる。即ち、前記接続部材を挿通する孔を換えるだけで、前記第１状態と第２状態とに状態切換をすることができる。そのため、前記ケーシングから前記化粧パネルのみを取り外す場合と、前記化粧パネルとドレンパンとを一度に取り外す場合とにおいて、作業者が前記状態切換を容易に行うことができる。
【００１８】
また、前記ドレンパン接続部は、前記ドレンパンに固定されている構成であってもよい。
【００１９】
かかる構成によれば、前記ドレンパンとドレンパン接続部とが個別に形成され、前記ドレンパン接続部が前記ドレンパンに固定される。そのため、接続の際に力の加わる可能性の高いドレンパン接続部を堅固な素材で形成することができ、接続の際に強度を保つことができる。
【００２０】
また、前記接続部材は、ネジで構成されてもよい。
【００２１】
かかる構成によれば、ドライバー等によってネジを回転させるだけで、容易にねじ込み又は抜き取りができる。そのため、前記ドレンパンとケーシング又は前記ドレンパンと化粧パネルの固定又は開放を容易に行うことができる。さらに、汎用品のネジを用いることでコスト削減を図ることができる。
【００２２】
また、前記第１及び第４孔は、前記ネジが螺合可能なネジ孔で構成され、前記第２及び第３孔は、前記ネジのネジ部が挿通可能な貫通孔で構成されてもよい。
【００２３】
かかる構成によれば、ネジが第３孔を挿通して第１孔に螺合され、又は第２孔を挿通して第４孔に螺合される。即ち、上記構成によれば、ネジを下方側（化粧パネル側）から上方側（ケーシング側）へ向かって、第３孔を介して第１孔に螺合することで第１状態となり、第２孔を介して第４孔に螺合することで第２状態とすることができる。
【００２４】
従って、作業者は、化粧パネル側からネジの位置換えをすることができるため、容易に状態切換を行うことができる。
【００２５】
また、前記接続手段は、前記ドレンパンに前記ケーシング及び化粧パネルの両方を接続した第３状態から前記化粧パネル又はケーシングを開放することで前記第１状態又は第２状態に状態変更する構成であってもよい。
【００２６】
かかる構成によれば、前記ドレンパンが前記ケーシング及び化粧パネルの両方と接続されることで、前記ドレンパン、ケーシング及び化粧パネルが前記接続手段によって全て接続されるため、当該空調機用室内機の強度がより向上する。
【００２７】
また、前記接続手段は、前記ドレンパンとケーシングとを接続するパチン錠と、前記ドレンパン又は化粧パネルの一方に設けられる第１係止環、及び前記ドレンパン又は化粧パネルの他方に設けられ、前記第１係止環に係脱可能に係合する第１係止フックと、で構成されてもよい。
【００２８】
かかる構成によれば、前記ドレンパンとケーシングとを、又は前記ドレンパンと化粧パネルとを容易に接続又は開放することができる。そのため、前記状態切換における作業労力の削減を図ることができる。
【００２９】
また、前記接続手段は、簡易な構成であるため壊れ難くメンテナンスを行い易い。さらに、前記接続手段に前記パチン錠のような汎用品を用いることで製造コストの削減も図ることができる。
【００３０】
また、前記ドレンパンとケーシングとは、前記ケーシングに対し前記ドレンパンを仮止めする仮止め手段を備える構成であってもよい。
【００３１】
かかる構成によれば、前記ケーシングに対して前記ドレンパンが仮止めされる。そのため、前記ドレンパンとケーシングとの接続を開放しても前記ドレンパンが直ちに落下して損傷するのを防ぐことができる。また、前記ドレンパンの取り付け作業においても、当該ドレンパンが仮止めされることで、前記ケーシングへの接続の際に押さえておく（固定しておく）必要がなく、容易に取り付け作業を行うことができる。
【００３２】
また、前記ドレンパンは、前記ケーシングの開口に嵌め込まれた際に当該開口を形成する開口縁内側面と対向する外周面を有し、前記仮止め手段は、前記ドレンパンの外周面に形成されたドレンパン係合凸部又はドレンパン係合凹部と、前記ケーシングの開口縁内側面における前記ドレンパン係合凸部又はドレンパン係合凹部に対応する位置で且つ対応する形状に形成されたケーシング係合凹部又はケーシング係合凸部とで構成されてもよい。
【００３３】
かかる構成によれば、前記仮止め手段を構成する係合凸部と、この係合凸部に対応する係合凹部とが係合するだけで仮止めされる。そのため、容易に仮止めを行うことができる。また、前記ケーシングの開口縁内側面とドレンパンの外周面とに前記係合凸部又は係合凹部を形成するだけであるため、製造コストの削減を図ることができる。
【００３４】
また、前記仮止め手段は、前記ドレンパン又はケーシングの一方に設けられる第２係止環と、前記ドレンパン又はケーシングの他方に設けられ、前記第２係止環に係脱可能に係合する第２係止フックとで構成されてもよい。
【００３５】
かかる構成によれば、第２係止環と第２係止フックとを係合するだけで仮止めされるため、容易に仮止めを行うことができる。また、簡単な構成であるため軽量化を図ることができると共に製造コストの削減を図ることができる。
【発明の効果】
【００３６】
以上より、本発明によれば、ドレンパンを取り外す際の労力を削減することができる空調機用室内機を提供することができるようになる。
【発明を実施するための最良の形態】
【００３７】
以下、本発明の第一実施形態について、添付図面を参照しつつ説明する。
【００３８】
図１乃至図３に示されるように、本実施形態に係る空調機用室内機１０は、天井埋込型の空調機用室内機１０であり、内部に各種構成機器を収納し、固定体に吊下げ支持されるケーシング１１と、このケーシング１１の下端に配置され、吸入口及び吹き出し口を有する化粧パネル２０とを備えている。
【００３９】
具体的には、ケーシング１１は、平面視において長辺と短辺とが交互になるような略８角形状で、下方が開口した箱状体に形成されている。このようなケーシング１１の内部には、空調室内の空気を吸排気する送風機１２と、この送風機１２によって吸気した空調室内の空気を冷却又は加温するための熱交換器１３と、この熱交換器１３の下側に配置され、当該熱交換器１３から滴下するドレンを受けるドレンパン３０と、このドレンパン３０に溜まったドレンを外部に排出するドレンポンプ１４とが配置されている。
【００４０】
化粧パネル２０は、平面視が略四角形状の板状体であり、その中央部に空調室内の空気を吸入するための吸入口２１が形成されると共にその周囲に空気を吹き出すための吹出し口２２が形成されている。
【００４１】
吸入口２１は、略正方形状の開口である。この吸入口２１には、吸入グリル２３と、吸入口２１から吸入された空気中の塵埃を除去するためのフィルタ２４とが設けられている。吹出し口２２は、矩形状の開口であり、化粧パネル２０の各辺に対応するように４箇所に形成されている。この吹出し口２２には、空調室内に向かって吹き出される空気の風向を可変することができる水平フラップ２５が配設されている。
【００４２】
送風機１２は、化粧パネル２０の吸入口２１を通じて空調室内の空気をケーシング１１内に吸入して外周方向に吹き出すものである。この送風機１２は、ケーシング１１の天板の中央に設けられるファンモータ１２ａと、ファンモータ１２ａに連結されて回転駆動される羽根車１２ｂと、で構成されたシロッコファンである。
【００４３】
熱交換器１３は、送風機１２の外周を四方から囲むように配置されたフィンチューブ型の熱交換パネルである。この熱交換器１３は、冷房運転時には蒸発器として、暖房運転時には凝縮器として機能できるようになっている。これにより、熱交換器１３は、送風機１２によって吸入口２１を通じてケーシング１１内に吸入された空気と熱交換を行って、冷房運転時には空気を冷却し、暖房運転時には空気を加熱することが可能となる。
【００４４】
ドレンポンプ１４は、ドレンパン３０に溜まったドレンを汲み取ってケーシング１１の外部へ排水するためのポンプである。
【００４５】
ドレンパン３０は、熱交換器１３において空気中の水分が凝縮されて当該熱交換器１３から滴下するドレンを受けるためのもので、熱交換器１３の下側、即ち、ケーシング１１の下端部に配置される。このドレンパン３０は、合成樹脂製で、平面視において、ケーシング１１に対応した略８角形に形成されている。そのため、ドレンパン３０がケーシング１１の下部開口に嵌め込まれた際に、当該ドレンパン３０は、ケーシング１１の開口縁内側面と接する、若しくは僅かな間隙をおいて対向するような外側面（外周面）を有する。
【００４６】
また、ドレンパン３０は、熱交換器１３の下側に形成され、ドレンを受けて所定量溜めることができるドレン受け部３１と、化粧パネル２０の吸入口２１に連通するように形成された吸入口３２と、化粧パネル２０の吹出し口２２に対応するように形成され、熱交換器１３において熱交換された空気が通過するための吹出し口３３とを有する。
【００４７】
このように構成される空調用室内機１０は、ドレンパン３０をケーシング１１及び化粧パネル２０に接続する接続手段５０を備える。この接続手段５０は、ドレンパン３０をケーシング１１に接続する第１接続部と、ドレンパン３０を化粧パネル２０に接続する第２接続部とを有している。これら第１接続部と第２接続部とは、個別に接続又は開放動作（操作）を行うことができる。
【００４８】
具体的には、図４、図５（ａ）及び図５（ｂ）にも示すように、接続手段５０は、ドレンパン３０に固定されるインサート金具５１と、ドレンパン３０及びケーシング１１を接続するパチン錠５２と、ドレンパン３０及び化粧パネル２０を接続する係止フック５３及び係止環５４と、を備える。即ち、第１接続部は、パチン錠５２及び当該パチン錠５２に接続しているインサート金具５１によって構成され、第２接続部は、係止フック５３、当該係止フック５３に接続しているインサート金具５１及び係止環５４によって構成されている。
【００４９】
インサート金具５１は、パチン錠５２を構成する後述の錠レバー５２ａ、及び後述の係止フック５３が設けられている。詳細には、インサート金具５１は、板状体であり一方側端部がドレンパン３０に埋め込まれることで、ドレンパン３０の底面に固定されている。このインサート金具５１の他方側は、ドレンパン３０の底面に沿って外側へ向かって延びる底面部Ｂと、上方に向けて起立している起立部Ｓとで構成されている。詳細には、インサート金具５１の前記他方側は、ドレンパン３０の外側面との間に一定の間隙が形成されるように、底面部Ｂの外側先端で起立部Ｓが起立している。この間隙には、ドレンパン３０をケーシング１１の下部開口に嵌め込んだ際、ケーシング１１の開口を形成する開口縁下端が嵌り込む（図４参照）。そして、インサート金具５１の前記他方側先端部には錠レバー５２ａが枢着されている。
【００５０】
錠レバー５２ａは、当該レバー５２ａ先端（インサート金具５１に枢着されているのと反対側の端部）の指掛け部５２０ａと当該レバー５２ａの基端側（インサート金具５１に枢着されている側の端部）に枢着された環状の係止部５２１ａとを具備し（図５（ａ）参照）、錠フック５２ｂと共にパッチン錠５２を構成している。即ち、錠レバー５２ａと錠フック５２ｂとを一組として接続手段５０におけるパチン錠５２が構成されている。
【００５１】
錠フック５２ｂは、ケーシング１１外側面（外周面）の下端部に設けられたフックで、当該ケーシング１１とドレンパン３０とを接続する際に用いられる。そのため、この錠フック５２ｂは、ドレンパン３０をケーシング１１に嵌め込んだ際に、ドレンパン３０のインサート金具５１と対応する位置に設けられている。詳細には、ケーシング１１外側面のうち、前記平面視における短辺に対応する各外側面の下端部にそれぞれ設けられ、この錠フック５２ｂの先端が外側へ向かって、且つ上方に向くように取り付けられている。
【００５２】
このように構成されるパチン錠５２は、錠レバー５２ａの指掛け部５２０ａを錠フック５２ｂ側に起こし、その状態で錠レバー５２ａに枢着されている係止部５２１ａを回動させて錠フック５２ｂに引っ掛け、その後、指掛け部５２０ａを錠フック５２ｂから離れる方向に回動させる。このように操作することで錠レバー５２ａが錠フック５２ｂに係止される。
【００５３】
また、インサート金具５１には、係止フック５３が設けられている。この係止フック５３は、化粧パネル２０に設けられた係止環５４に係脱可能に係合するフックで、インサート金具５１の前記底面部Ｂと起立部Ｓとの境界位置に、その先端が外側へ向いて、且つ上方を向くように設けられている（図４及び図５（ａ）参照）。
【００５４】
係止環５４は、化粧パネル２０の裏面（ケーシング１１に当該化粧パネル２０を装着した際、上側となる面）に下部を枢着され、回動可能に設けられている（図５（ｂ）参照）。この係止環５４は、ドレンパン３０のインサート金具５１に設けられた前記係止フック５３と係脱可能に係合するものであり、係止フック５３と係合することで、化粧パネル２０をドレンパン３０に接続する。
【００５５】
このように構成される接続手段５０は、少なくとも以下の第１状態と第２状態との二つの状態を取り得ることができ、本実施形態においては、以下の第１〜第３状態の三つの状態を取り得る。
【００５６】
前記第１状態とは、接続手段５０がドレンパン３０を化粧パネル２０に接続することなくケーシング１１に接続した状態、即ち、ドレンパン３０をケーシング１１の下部開口へ嵌め込み、錠レバー５２ａを錠フック５２ｂに係止させた状態をいう。また、前記第２状態とは、接続手段５０がドレンパン３０をケーシング１１に接続することなく化粧パネル２０に接続した状態、即ち、化粧パネル２０の係止環５４をドレンパン３０の係止フック５３に係合させた状態をいう。また、前記第３状態とは、接続手段５０がドレンパン３０をケーシング１１及び化粧パネル２０の両方に接続した状態、即ち、錠レバー５２ａを錠フック５２ｂに係止させ且つ係止環５４を係止フック５３に係合させた状態をいう。そして、接続手段５０は、前記第３状態から化粧パネル２０を開放することで第１状態に状態変更でき、前記第３状態からケーシング１１を開放することで第２状態に状態変更できる。
【００５７】
また、空調用室内機１０は、ドレンパン３０をケーシング１１に対して仮止めする仮止め手段７０を備える。この仮止め手段７０は、ケーシング１１に設けられたケーシング係合凸部７０ａと、ドレンパン３０に設けられたドレンパン係合凹部７０ｂとによって構成されている。
【００５８】
詳細には、ケーシング係合凸部７０ａは、ケーシング１１の開口縁内側面の下端部に設けられ、開口の中心に向かって突出するように突設されている。一方、ドレンパン係合凹部７０ｂは、ドレンパン３０の外側面に設けられた凹部で、前記ケーシング係合凸部７０ａと対応する位置に形成されている。そのため、ドレンパン３０がケーシング１１の下部開口に嵌め込まれた際に、ケーシング１１のケーシング係合凸部７０ａがドレンパン３０のドレンパン係合凹部７０ｂに嵌まり込んで互いに係合する（図４参照）。このように構成される仮止め手段７０は、ケーシング１１の開口縁内側面とドレンパン３０の外側面との周方向に沿って複数個所に設けられている。これら複数の仮止め手段７０，７０，…における各ケーシング係合凸部７０ａがそれぞれ対応するドレンパン係合凹部７０ｂに係合する（嵌まり込む）ことによって、ドレンパン３０がケーシング１１に対して仮止めされる。
【００５９】
第一実施形態に係る空調機用室内機１０は、以上の構成からなり、次に、この空調機用室内機１０の動作について説明する。
【００６０】
空調機用室内機１０のファンモータ１２ａが駆動されて、送風機１２のシロッコファン１２ｂが回転する。また、ファンモータ１２ａの駆動と共に、熱交換器１３内には、室外ユニット（図示せず）から冷媒が供給される。ここで、前述のように、熱交換器１３は、冷房運転時には蒸発器として、暖房運転時には凝縮器として作用する。そして、シロッコファン１２ｂの回転に伴って、空調室内の空気が化粧パネル２０の吸入口２１を通じて送風機１２の下側から吸入される。この吸入された空気は、シロッコファン１２ｂによって外周側に吹き出されて熱交換器１３に到達し、当該熱交換器１３において冷却又は加熱された後、ドレンパン３０の吹出し口３３及び化粧パネル２０の吹出し口２２を通じて空調室内に向かって吹き出される。このようにして、空調室内の冷房又は暖房が行われる。
【００６１】
ところで、冷房運転時においては、ケーシング１１内に吸入された空調室内の空気が熱交換器１３において冷却される際、この空気中に含まれる水分が凝縮することによってドレンが発生する。このドレンが熱交換器１３からドレンパン３０のドレン受け部３１に滴下し、このドレン受け部３１にドレンが溜まる。そして、ドレン受け部３１に所定量溜まったドレンは、ドレンポンプ１４によってドレン受け部３１の集水部３４から汲み出され、ケーシング１１の外部に排水される。
【００６２】
このとき、ドレンポンプ等によっては全てのドレンを排出することができない。そのため、空調機用室内機１０を長期間使用しないと、残留したドレン（以下、単に「残留ドレン」とも称する。）の水分が蒸発して前記埃が析出したり、残留しているドレンにカビが繁殖又は腐敗等が発生する場合がある。このような場合に空調機用室内機１０の運転を行うと、吹き出された風が埃やカビ臭い場合がある。そのため、このような埃やカビ臭い風が吹き出されるのを防ぐために、定期的に、又は長期間使用しないような場合には、使用者や業者等によって空調機用室内機１０からドレンパン３０を取り外して洗浄する。
【００６３】
また、一定期間使用した空調機用室内機１０は、メンテナンスのために、使用者や業者等によってケーシング１１の下部に配置された化粧パネル２０及びドレンパン３０を取り外してケーシング１１内部に収納されている各種構成機器を点検する。
【００６４】
次に、このドレンパン３０の洗浄や空調機用室内機１０のメンテナンス等のために、化粧パネル２０のみ、又は化粧パネル２０とドレンパン３０とを一体として取り外す際の作業について説明する。
【００６５】
まず、本実施形態に係る空調機用室内機１０の通常状態、即ち、化粧パネル２０がケーシング１１に装着された状態における接続手段５０について説明する。この状態での接続手段５０は、パチン錠５２の錠レバー５２ａを錠フック５２ｂに係止する（施錠する）ことで、ドレンパン３０をケーシング１１に接続する。さらに、接続手段５０は、ドレンパン３０の係止フック５３に化粧パネル２０の係止環５４を係合させ、ドレンパン３０を化粧パネル２０に接続している。即ち、接続手段５０は、空調機用室内機１０の通常状態においては第３状態に在る。
【００６６】
次に、この状態から、化粧パネル２０のみを取り外す場合について説明する。
【００６７】
前記第３状態に在る接続手段５０の係止フック５３に係合している係止環５４を回動させて（図５（ｂ）の矢印参照）、係止環５４を係止フック５３から外す。その際、化粧パネル２０を上方側に持ち上げて係止環５４を回動させることで、取り外し易くなる。同様に、ケーシング１１の外側面に設けられた残り全ての接続手段５０の係止環５４と係止フック５３との係合を解除する。このようにすることで、化粧パネル２０のみをケーシング１１から取り外すことができる。即ち、接続手段５０は、第１状態に状態変更されることで、化粧パネル２０のみが取り外される。
【００６８】
尚、このように取り外された化粧パネル２０は、全ての係止環５４をドレンパン３０のインサート金具５５に設けられた係止フック５３に引っ掛ける（係合させる）ことで、即ち、全ての接続手段５０を第３状態にすることで、ケーシング１１に装着することができる。
【００６９】
また、化粧パネル２０のみが取り外された状態から、さらにドレンパン３０をケーシング１１から取り外すことも可能である。取り外す場合には、全ての接続手段５０のパチン錠５２を開錠する。即ち、錠レバー５２ａが錠フック５２ｂに係止されている状態から、当該錠レバー５２ａの指掛け部５２０ａを錠フック５２ｂ側に起こし、係止部５２１ａを回動させて錠フック５２ｂから外す。このようにすることで、錠レバー５２ａと錠フック５２ｂとの係止が開放され、パチン錠５２は開錠される。同様にして、残り全ての接続手段５０のパチン錠５２を開錠すればよい。
【００７０】
このとき、ドレンパン３０はケーシング１１に対して仮止めされている。即ち、ドレンパン３０の外側面に形成されたドレンパン係合凹部７０ｂに、ケーシング１１の開口縁内側面に突設されたケーシング係合凸部７０ａが嵌まり込んで係合している。そのため、全てのパチン錠５２を開錠しても、直ちにドレンパン３０がケーシング１１から落下して損傷することがない。
【００７１】
この仮止め状態からドレンパン３０に対して下方側への力を加えることで、ドレンパン３０をケーシング１１から取り外すことが可能となる。
【００７２】
この取り外されたドレンパン３０をケーシング１１に取り付けるには、まず、ドレンパン３０をケーシング１１の下部開口に嵌め込む。このとき、前記仮止め手段７０が設けられているため、ドレンパン３０がケーシング１１に対して仮止めされる。従って、パチン錠５２の施錠作業を行う際に、ドレンパン３０を落下しないように抑えておく必要がない。次に、上記手順と逆、即ち、パチン錠５２の錠レバー５２ａにおける指掛け部５２０ａを錠フック５２ｂ側に起こし、その状態で錠レバー５２ａに枢着されている係止部５２１ａを錠フック５２ｂに係止させた（引っ掛けた）後、指掛け部５２０ａを錠フック５２ｂから離れる方向に回動させる。このようにすることで、パチン錠５２は施錠、即ち、錠レバー５２ａが錠フック５２ｂに係止される。同様にして、残り全ての接続手段５０のパチン錠を施錠することで、ドレンパン３０をケーシング１１に接続することが可能となる。
【００７３】
次に、空調機用室内機１０の通常状態から化粧パネル２０及びドレンパン３０を一体として（一緒に）取り外す場合について説明する。
【００７４】
空調機用室内機１０の通常状態である前記第３状態に在る接続手段５０のパチン錠５２を上記同様に開錠して第２状態とする。即ち、ドレンパン３０がケーシング１１及び化粧パネル２０に接続された状態からケーシング１１を開放し、化粧パネル２０のみが接続された状態とする。詳細には、パチン錠５２を開錠する。即ち、パチン錠５２が前記施錠された状態から錠レバー５２ａの指掛け部５２０ａを錠フック５２ｂ側に起こし、係止部５２１ａを回動させて錠フック５２ｂから外す。このようにして、全ての接続手段５０を第２状態とする。そうすると、ドレンパン３０が化粧パネル２０のみに接続された状態となり、ドレンパン３０と化粧パネル２０とを一体としてケーシング１１から取り外すことができる。
【００７５】
また、一体として取り外したドレンパン３０及び化粧パネル２０を取り付ける際には、ドレンパン３０がケーシング１１の下部開口に嵌め込まれた状態で、第２状態に在る全ての接続手段５０のパチン錠５２を上記同様に施錠して第３状態とする。このようにすることで、化粧パネル２０及びドレンパン３０は、ケーシング１１に装着される。
【００７６】
次に、第一実施形態に係る空調機用室内機１０の作用及び効果を説明する。
【００７７】
本実施形態に係る空調機用室内機１０は、ドレンパン３０をケーシング１１及び化粧パネル２０に接続可能な接続手段５０を備え、この接続手段５０は、前記第１状態と第２状態との少なくとも二つの状態を取り得る。そのため接続手段５０を前記第２状態とすることで、化粧パネル２０とドレンパン３０とをケーシング１１から一度に取り外すことができる。その結果、化粧パネル２０及びドレンパン３０を取り外す作業において、一度の取り外し作業で作業を終えることができ、作業者の労力削減を図ることができる。
【００７８】
しかも、本実施形態においては、接続手段５０を前記第１状態とすることで、化粧パネル２０のみをケーシング１１から取り外すことができる。そのため、目的に合わせて、化粧パネル２０のみ、又は化粧パネル２０及びドレンパン３０を一体としてケーシング１１から取り外すことができる。
【００７９】
また、接続手段５０は、ドレンパン３０にケーシング１１及び化粧パネル２０の両方を接続した第３状態から化粧パネル２０又はケーシング１１を開放することで前記第１状態又は第２状態に状態変更する。このようにドレンパン３０がケーシング１１及び化粧パネル２０の両方と接続されることで、ドレンパン３０、ケーシング１１及び化粧パネル２０が接続手段によって全て接続されるため、当該空調機用室内機１０の強度がより向上する。
【００８０】
また、接続手段５０は、ドレンパン３０とケーシング１１とを接続するパチン錠５２と、ドレンパン３０に設けられる係止環５３、及び化粧パネル２０に設けられ、係止環５３に係脱可能に係合する係止フック５４と、で構成される。そのため、ドレンパン３０とケーシング１１とを、又はドレンパン３０と化粧パネル２０とを容易に接続又は開放することができ、状態切換における作業労力の削減を図ることができる。また、このような構成の接続手段は、簡易な構成であるため壊れ難くメンテナンスを行い易い。さらに、接続手段にパチン錠５２のような汎用品を用いることで製造コストの削減も図ることができる。
【００８１】
また、ドレンパン３０とケーシング１１とは、ケーシング１１に対しドレンパン３０を仮止めする仮止め手段７０を備えているため、ケーシング１１に対してドレンパン３０が仮止めされる。その結果、ドレンパン３０とケーシング１１との接続を開放してもドレンパン３０が直ちに落下して損傷するのを防ぐことができる。また、ドレンパン３０の取り付け作業においても、当該ドレンパン３０が仮止めされることで、ケーシング１１への接続の際に押さえておく必要がなく、容易に取り付け作業を行うことができる。
【００８２】
また、ドレンパン３０は、ケーシング１１の開口に嵌め込まれた際に当該開口を形成する開口縁内側面と対向する外側面（外周面）を有し、仮止め手段７０は、ドレンパン３０の外側面に形成されたドレンパン係合凹部７０ｂと、ケーシング１１の開口縁内側面におけるドレンパン係合凹部７０ｂに対応する位置で且つ対応する形状に形成されたケーシング係合凸部７０ａとで構成されている。そのため、仮止め手段７０を構成するケーシング係合凸部７０ａと、このケーシング係合凸部７０ａに対応するドレンパン係合凹部７０ｂとが係合するだけで仮止めされ、容易に仮止めされる。また、ケーシング１１の開口縁内側面とドレンパン３０の外周面とにケーシング係合凸部７０ａとドレンパン係合凹部７０ｂとをそれぞれ形成するだけであるため、製造コストの削減を図ることができる。
【００８３】
次に、本発明の第二実施形態について図６（ａ）及び図６（ｂ）を参照しつつ説明するが、上記第１実施形態と同様の構成には同一符号を用いると共に詳細な説明を省略し、異なる構成ついてのみ詳細に説明する。
【００８４】
接続手段５０’は、接続部材５５を有し、ドレンパン３０とケーシング１１との接続及びドレンパン３０と化粧パネル２０との接続を共通の接続部材５５を用いて行うことで、前記第１状態及び前記第２状態の二つの状態を取り得る。
【００８５】
具体的には、接続手段５０’は、ケーシング１１に設けられたケーシング接続部８０と、化粧パネル２０に設けられたパネル接続部８１と、ドレンパン３０に設けられたドレンパン接続部８２と、接続部材５５と、で構成される。ケーシング接続部８０には第１孔８０ａが穿設され、パネル接続部８１には第２孔８１ａが穿設され、ドレンパン接続部８２には前記第１及び第２孔８０ａ，８１ａにそれぞれ対応した位置に第３及び第４孔８０ｂ，８１ｂが穿設されている。
【００８６】
接続部材５５は、第１及び第３孔８０ａ，８０ｂに挿通、又は第２及び第４孔８１ａ，８１ｂに挿通可能に構成される。この接続部材５５は、本実施形態においてはネジ５５が用いられている。尚、ドレンパン接続部８２とケーシング接続部８０又はパネル接続部８１とを接続・固定でき、且つ第１及び第３孔８０ａ，８０ｂに挿通、又は第２及び第４孔８１ａ，８１ｂに挿通可能であればピン等の短い棒状部材であってもよい。
【００８７】
詳細には、ケーシング接続部８０は、板状体で構成され、ケーシング１１の外側面に沿った起立部とケーシング１１の外側面下端から水平に外側に向かって延びる水平部とで構成されている。このケーシング接続部８０の水平部には上下方向に貫通した第１孔８０ａが穿設されている。
【００８８】
パネル接続部８１は、板状体で構成され、化粧パネル２０と平行になるように当該パネル２０に取り付けられている。また、パネル接続部８１には上下方向に貫通した第２孔８１ａが穿設されている。
【００８９】
ドレンパン接続部８２は、板状体で構成され一方側端部がドレンパン３０に埋め込まれることで固定されている。また、他方側は、ドレンパン３０の底面に沿うように外側へ向かって水平方向に延びている。このドレンパン接続部８２は、ドレンパン３０がケーシング１１に嵌め込まれた際に、ケーシング接続部８０の水平部と上下に重なる。また、当該ドレンパン接続部８２は、ドレンパン３０に化粧パネル２０が接続された際に、パネル接続部８１とも上下に重なる。
【００９０】
また、ドレンパン接続部８２には、前記第１及び第２孔８０ａ，８１ａと対応する位置に第３及び第４孔８０ｂ，８１ｂが穿設されている。詳細には、ドレンパン３０をケーシング１１の下部開口に嵌め込んで、ドレンパン接続部８２にケーシング接続部８０を当接させる。そうすると、ドレンパン接続部８２にケーシング接続部８０が上下に重なると共にドレンパン接続部８２の第３孔８０ｂとケーシング接続部８０の第１孔８０ａとが上下に重なる。即ち、第１及び第３孔８０ａ，８０ｂが上下に連続して並び、共通のネジ５５が挿通可能となる。また、ケーシング１１に化粧パネル２０を装着すると、パネル接続部８１にドレンパン接続部８２が僅かな間隔をおいて上下に重なると共にドレンパン接続部８２の第４孔８１ｂとパネル接続部８１の第２孔８１ａとが上下に重なる。即ち、第４及び第２孔８１ｂ，８１ａが上下に連続して並び、共通のネジ５５が挿通可能となる。
【００９１】
尚、ケーシング接続部８０の第１孔８０ａ及びドレンパン接続部８２の第４孔８１ｂは、前記ネジ（接続部材）５５が螺合可能なネジ孔で構成され、パネル接続部８１の第２孔８１ａ及びドレンパン接続部８２の第３孔８０ｂは、ネジ５５のネジ部が挿通可能で且つネジ５５の頭部は挿通不可能な径の貫通孔で構成される。
【００９２】
第二実施形態に係る空調機用室内機１０は、以上の構成からなり、次に、この空調機用室内機１０における化粧パネル２０のみ、又は化粧パネル２０とドレンパン３０とを一体として取り外す際の作業について説明する。
【００９３】
まず、本実施形態に係る空調機用室内機１０の通常状態、即ち、化粧パネル２０がケーシング１１に装着された状態における接続手段５０’について説明する。この状態での接続手段５０’は、ネジ５５が下側からドレンパン接続部８２の第３孔８０ｂを通じてケーシング接続部８０の第１孔８０ａと螺合している。このとき、ドレンパン３０は、ケーシング１１に接続されている。即ち、接続手段５０’は、第１状態に在る。
【００９４】
次に、この状態から、化粧パネル２０のみを取り外す場合について説明する。接続手段５０’が第１状態に在るため、ドレンパン３０は、化粧パネル２０に接続されていない。そのため、化粧パネル２０とケーシング１１との係合を開放するだけで、化粧パネル２０のみを取り外すことができる。
【００９５】
次に、空調機用室内機１０の通常状態から化粧パネル２０とドレンパン３０とを一体として（一緒に）取り外す場合について説明する。
【００９６】
ドレンパン接続部８２の第３孔８０ｂを通じてケーシング接続部８０の第１孔８０ａと螺合しているネジ５５を取り外し、下側からパネル接続部８１の第２孔８１ａを通じてドレンパン接続部８２の第４孔８１ｂに螺合させる。このとき、ケーシング接続部８０の第１孔８０ａとドレンパン接続部８２の第３孔８０ｂとが上下に重なると共に、ドレンパン接続部８２の第４孔８１ｂとパネル接続部８１の第２孔８１ａとが上下に重なっている。そのため、ケーシング接続部８０、ドレンパン接続部８２及びパネル接続部８１の水平方向における相対位置を移動させることなく、共通のネジ５５を第１及び第３孔８０ａ，８０ｂから第４及び第２孔８１ｂ，８１ａに移動させることができる。このようにすることで、ドレンパン３０は、ケーシング１１との接続が開放され、化粧パネル２０に接続される。即ち、接続手段５０’は、第１状態から第２状態に状態変更される。そのため、化粧パネル２０とケーシング１１との係合を開放すると、ドレンパン３０は、化粧パネル２０と共にケーシング１１から取り外される。
【００９７】
次に、第二実施形態に係る空調機用室内機１０の作用及び効果を説明する。
【００９８】
上記のように接続手段５０’が構成されることで、共通のネジ５５によって、ドレンパン３０とケーシング１１とを接続する前記第１状態と、ドレンパン３０と化粧パネル２０とを接続する前記第２状態との二つの状態を取り得ることができる。そのため、部品点数を減らすことができ、状態切換の作業の簡素化を図ることができる。また、部品点数の減少によって製造コストの削減を図ることができる。
【００９９】
また、ネジ５５が第１及び第３孔８０ａ，８０ｂに挿通された状態から外され、第２及び第４孔８１ａ，８１ｂに挿通されることで、前記第１状態から前記第２状態に状態切換が行われる。即ち、ネジ５５を挿通する孔を換えるだけで、第１状態と第２状態とに状態切換をすることができる。そのため、ケーシング１１から化粧パネル２０のみを取り外す場合と、化粧パネル２０とドレンパン３０とを一度に取り外す場合とにおいて、作業者が前記状態切換を容易に行うことができる。
【０１００】
また、接続部材がネジ５５であるため、ドライバー等によって当該ネジ５５を回転させるだけで、容易にねじ込み又は抜き取りができる。そのため、ドレンパン３０とケーシング１１、又はドレンパン３０と化粧パネル２０の固定や開放を容易に行うことができる。さらに、汎用品のネジ５５を用いることでコスト削減を図ることもできる。
【０１０１】
また、ネジ５５が第３孔８０ｂを挿通して第１孔８０ａに螺合され、又は第２孔８１ａを挿通して第４孔８１ｂに螺合される。即ち、ネジ５５を下方側（化粧パネル２０側）から上方側（ケーシング１１側）へ向かって、第３孔８０ｂを介して第１孔８０ａに螺合することで第１状態となり、第２孔８１ｂを介して第４孔８１ａに螺合することで第２状態とすることができる。その結果、作業者は、化粧パネル２０側からネジ５５の位置換えをすることができるため、容易に状態切換を行うことができる。
【０１０２】
また、上記構成の接続手段５０’において、ドレンパン接続部８２は、ドレンパン３０に固定されているため、製造する際には、ドレンパン３０とドレンパン接続部８２とが個別に形成され、ドレンパン接続部８２がドレンパン３０に固定される。そのため、接続の際に力の加わる可能性の高いドレンパン接続部８２を堅固な素材で形成することができ、接続の際に強度を保つことができる。
【０１０３】
尚、本発明の空調機用室内機は、上記実施形態に限定されるものではなく、本発明の要旨を逸脱しない範囲内において種々変更を加え得ることは勿論である。
【０１０４】
例えば、仮止め手段７０は、第一実施形態の構成に限定される必要はなく、図７に示すように、インサート金具５１に枢着された第２係止環９０と、ケーシング１１の外側面に突設され、当該第２係止環９０と係脱可能に係合する第２係止フック９１とで構成されてもよい。即ち、ケーシング１１に対してドレンパン３０が仮止めされ、前記ドレンパン３０とケーシング１１との接続を開放してもドレンパン３０が直ちに落下するのを抑制できればよい。
【図面の簡単な説明】
【０１０５】
【図１】第一実施形態に係る空調機用室内機の斜視図を示す。
【図２】同実施形態に係る空調機用室内機の縦断面図を示す。
【図３】同実施形態に係る空調機用室内機の化粧パネルを外した状体の斜視図を示す。
【図４】同実施形態に係る空調機用室内機の仮止め手段近傍の概略断面図を示す。
【図５】同実施形態に係る空調機用室内機における（ａ）は接続手段のパッチン錠の拡大斜視図を示し、（ｂ）は接続手段の係止環及び係止フックの係止状態の拡大斜視図を示す。
【図６】第二実施形態に係る空調機用室内機の接続手段における（ａ）は一部拡大概略側面図を示し、（ｂ）は一部拡大概略正面図を示す。
【図７】他実施形態に係る空調機用室内機の仮止め手段の概略構成図を示す。
【図８】従来の空調機用室内機の縦断面図を示す。
【符号の説明】
【０１０６】
１０   空調機用室内機
１１   ケーシング
１３   熱交換器
２０   化粧パネル
３０   ドレンパン
５０   接続手段
７０   手段
【図１】
2009036394.tif 000003
【図２】
2009036394.tif 000004
【図３】
2009036394.tif 000005
【図４】
2009036394.tif 000006
【図５】
2009036394.tif 000007
【図６】
2009036394.tif 000008
【図７】
2009036394.tif 000009
【図８】
2009036394.tif 000010